(57)【要約】【課題】通帳の印字が終了するのを待つことなく、ステートメント用紙を排出できるようにする。【解決手段】サーマル用搬送手段５によって搬送されるサーマル用紙４に印字するサーマルヘッド１７，１８と、このラインヘッド１７，１８によって印字されたサーマル用紙４を所定寸法に切断してステイトメント用紙Ｓとする切断部８と、排出口部に接続される搬送路６ｂに沿って通帳Ｔを搬送する通帳用搬送手段１０と、この通帳用搬送手段１０によって搬送される通帳Ｔに印字するドットヘッド９ａとを具備し、サーマル用紙４の搬送路６ａの搬出側を通帳の搬送路６ｂの中途部に合流させ、この合流部位３１をドットヘッド９ａよりも排出口側に近づけ、切断部８から合流部位３１までの距離Ｋ１をドットヘッド９ａから合流部位３１までの距離Ｋ２よりも短くする。【選択図】      図２
2010214736.tif 000002
【特許請求の範囲】
【請求項１】
通帳、或いはステイトメント用紙を排出する排出口部と、
ロール用紙を第１の搬送路に沿って搬送する第１の搬送手段と、
この第１の搬送手段によって搬送される前記ロール用紙に印字するラインヘッドと、
このラインヘッドによって印字された前記ロール用紙を所定寸法に切断してステイトメント用紙とする切断手段と、
前記排出口部に接続される第２の搬送路に沿って前記通帳を搬送する第２の搬送手段と、
この第２の搬送手段によって搬送される前記通帳に印字するシリアルヘッドとを具備し、
前記第１の搬送路の搬出側を前記第２の搬送路の中途部に合流させ、この合流部位を前記シリアルヘッドよりも前記排出口側に近づけ、前記切断手段から前記合流部位までの距離を前記シリアルヘッドから前記合流部位までの距離よりも短くしたことを特徴とする印刷装置。
【請求項２】
前記ラインヘッドは、サーマルヘッドで、前記シリアルヘッドはドットヘッドであることを特徴とする請求項１記載の印刷装置。
【請求項３】
通帳、或いはステイトメント用紙を排出する排出口部と、
ロール用紙を第１の搬送路に沿って第１の搬送速度で搬送する第１の搬送手段と、
この第１の搬送手段によって搬送される前記ロール用紙に印字するラインヘッドと、
このラインヘッドによって印字された前記ロール用紙を所定寸法に切断してステイトメント用紙とする切断手段と、
前記排出口部に接続される第２の搬送路に沿って前記通帳を前記第１の搬送速度とは異なる第２の搬送速度で搬送する第２の搬送手段と、
この第２の搬送手段によって搬送される前記通帳に印字するシリアルヘッドとを具備し、
前記第１の搬送速度は前記第２の搬送速度よりも高速化されたことを特徴とする印刷装置。
【発明の詳細な説明】
【技術分野】
【０００１】
本発明は、通帳やステイトメント用紙に印字する印刷装置に関する。
【背景技術】
【０００２】
印刷装置には、その前面部側にステイトメント用紙を出入させる用紙出入口と、通帳を出入させる通帳出入口とを上下に配置し、用紙出入口から挿入されるステイトメント用紙をステイトメント用搬送手段によって印字部に搬送し、或いは、通帳出入口から挿入される通帳を通帳用搬送手段によって印字部に搬送してドットヘッドによりそれぞれ印字するものがある。印字されたステイトメント用紙、及び通帳は逆送されて用紙出入口及び通帳出入口からそれぞれ送り出されるようになっている（例えば、特許文献１参照。）。
【特許文献１】特開２００３−１７６０６５号公報
【発明の開示】
【発明が解決しようとする課題】
【０００３】
しかしながら、従来においては、ステイトメント用紙と通帳のいずれをも解像度の低いドットヘッドによって印字していたため、ステイトメント用紙の印字が汚くなるという問題があった。
【０００４】
そこで、近時においては、例えば、サーマル用紙を搬送するサーマル用搬送路が上流側、通帳用搬送路が下流側になるように一系統の搬送系を構成し、サーマル用搬送路に解像度の高いサーマルヘッド、通帳用搬送路にドットヘッドを設け、サーマルヘッドによって印字したサーマル用紙を通帳用搬送路に送り込むとともに、カッタで所定長さに切断してステイトメント用紙とし、このステイトメント用紙を通帳用搬送路を介して排出することが考えられている。
【０００５】
しかしながら、この方法では、印字を終えたステートメント用紙を通帳用搬送路を介して排出しようとしても、通帳用搬送路でドットヘッドが通帳に印字を行なっていた場合には、通帳の印字が終了するまで、ステートメント用紙の排出を待たなければならず、利便性が悪いという不都合があった。
【０００６】
本発明は上記事情に着目してなされたもので、その目的とするところは、シリアルヘッドによって通帳に印字が行なわれている場合でも、通帳の印字終了を待つことなく、ステートメント用紙の排出を可能とし、利便性を向上できるようにした印刷装置を提供することにある。
【課題を解決するための手段】
【０００７】
上記課題を解決するため、請求項１記載の発明は、通帳、或いはステイトメント用紙を排出する排出口部と、ロール用紙を第１の搬送路に沿って搬送する第１の搬送手段と、この第１の搬送手段によって搬送される前記ロール用紙に印字するラインヘッドと、このラインヘッドによって印字された前記ロール用紙を所定寸法に切断してステイトメント用紙とする切断手段と、前記排出口部に接続される第２の搬送路に沿って前記通帳を搬送する第２の搬送手段と、この第２の搬送手段によって搬送される前記通帳に印字するシリアルヘッドとを具備し、前記第１の搬送路の搬出側を前記第２の搬送路の中途部に合流させ、この合流部位を前記シリアルヘッドよりも前記排出口側に近づけ、前記切断手段から前記合流部位までの距離を前記シリアルヘッドから前記合流部位までの距離よりも短くしたことを特徴とする。
【０００８】
請求項３記載の発明は、通帳、或いはステイトメント用紙を排出する排出口部と、ロール用紙を第１の搬送路に沿って第１の搬送速度で搬送する第１の搬送手段と、この第１の搬送手段によって搬送される前記ロール用紙に印字するラインヘッドと、このラインヘッドによって印字された前記ロール用紙を所定寸法に切断してステイトメント用紙とする切断手段と、前記排出口部に接続される第２の搬送路に沿って前記通帳を前記第１の搬送速度とは異なる第２の搬送速度で搬送する第２の搬送手段と、この第２の搬送手段によって搬送される前記通帳に印字するシリアルヘッドとを具備し、前記第１の搬送速度は前記第２の搬送速度よりも高速化されたことを特徴とする。
【発明の効果】
【０００９】
本発明によれば、シリアルヘッドによって通帳に印字が行なわれている場合でも、通帳の印字終了を待つことなく、ステートメント用紙の排出を可能とし、利便性を向上できる。
【発明を実施するための最良の形態】
【００１０】
以下、本発明の実施の形態を図面を参照して詳細に説明する。  
図１は、本発明の一実施の形態である印刷装置を示す構成図である。
【００１１】
図中１は装置本体で、この装置本体１の前面部側には通帳の出入口とステイトメント用紙の出口を兼用する排出口部としてのフェイシア部２が設けられている。
【００１２】
装置本体１内の後部側には用紙装填部３が設けられ、この用紙装填部３にはロール状のサーマル用紙（ロール用紙）４が装填されている。サーマル用紙４の先端部は用紙装填部３から引き出されて第１の搬送手段としてのサーマル用搬送手段５によって搬送路（第１の搬送路）６ａに沿って搬送される。搬送路６ａ中にはサーマル用紙４の搬送方向に沿って順次、サーマル印字部７、切断手段としての切断部８が配設されている。また、装置本体１内には、通帳を搬送路（第２の搬送路）６ｂに沿って搬送する第２の搬送手段としての通帳用搬送手段１０が設けられている。
【００１３】
通帳用搬送手段１０は搬送路６ｂに所定間隔を存して配設される複数個の搬送ローラ対１１、及び出入用ローラ対１２によって構成されている。通帳の搬送路６ｂにはシリアルヘッドとしてのドットヘッド９ａを有するドット印字部９が配置され、搬送路６ｂはフェイシア部２に接続されている。また、搬送路６ｂには該搬送路６ｂに後述するように導入されるサーマル用紙４の先端部を検出するための検知サンサ２８が設けられ、出入用ローラ対１２の近傍には通帳の挿入を検知する通帳挿入検知センサ２９が設けられている。
【００１４】
上記したサーマル印字部７は、図２に拡大して示すように、サーマル用紙４の搬送方向に沿って所定間隔を存して配置されるラインヘッドとしての第１及び第２のサーマルヘッド１７，１８を備え、これら第１及び第２のサーマルヘッド１７，１８にはサーマル用搬送手段５を構成する第１及び第２のプラテンローラ２０，２１が転接されている。サーマル用紙４は、第１及び第２のサーマルヘッド１７，１８と第１及び第２のプラテンローラ２０，２１とにより挟持搬送されて第１及び第２のサーマルヘッド１７，１８によりその表裏に情報が印字されるようになっている。
【００１５】
切断部８は、ロータリーカッタ２３を備え、サーマル用紙４が切断部８から所定距離送り出されるのに基づいて、即ち、サーマル用紙４の先端部が検知センサ２８によって検知されるのに基づいてロータリーカッタ２３を回転させるようになっている。
【００１６】
サーマル用搬送手段５を構成する第１及び第２のプラテンローラ２０，２１、ロータリーカッタ２３、及びサーマル側フィードローラ対１４は、第１の駆動モータ（図１に示す）２５によってサーマル用紙４を送出方向に回転駆動され、また、通帳用搬送手段１０を構成する搬送ローラ対１１、出入用ローラ対１２は、第２の駆動モータ（図１に示す）２６によって正逆方向に回転駆動されるようになっている。
【００１７】
ところで、上記したサーマル用紙４の搬送路６ａの排出側は、通帳の搬送路６ｂの中途部に接続合流されている。この搬送路６ａと搬送路６ｂとの合流部位３１は、ドットヘッド９ａよりもフェイシア部２側に近づけられ、切断部８から合流部位３１までの距離Ｋ１がドットヘッド９ａから合流部位３１までの距離Ｋ２よりも短くされている。
【００１８】
従って、サーマルヘッド１７，１８とドットヘッド９ａでステイトメント用紙と通帳を同時に印字した場合でも、ステイトメント用紙を通帳よりも先に合流部位３１を通過させてフェイシア部２から排出することができるようになっている。
【００１９】
図３は印刷装置の駆動制御系を示すブロック図である。
【００２０】
上記したサーマル用紙検知センサ２８、通帳挿入検知センサ２９、さらに、ステイトメント発行ボタン２７は送信回路を介して制御手段としての制御部２４に接続され、制御部２４には制御回路を介して上記した第１及び第２の駆動モータ２５，２６が接続されている。
【００２１】
制御部２４は、通帳挿入検知センサ２９が通帳の挿入を検知するのに基づいて第２の駆動モータ２６を動作させて搬送ローラ対１１、出入用ローラ対１２を正方向に回転駆動させ、ドット印字終了後、逆方向に回転駆動させるようになっている。
【００２２】
また、制御部２４は、ステイトメント発行ボタン２７がオンされるのに基づいて第１の駆動モータ２５を動作させ、第１及び第２のプラテンローラ２０，２１さらにサーマル側フィードローラ対１４を回転駆動させるようになっている。
【００２３】
また、制御部２４は、サーマル用紙検知センサ２８の検知に基づいてロータリーカッタ２３を回転駆動させるとともに、第２の駆動モータ２６を動作させて搬送ローラ対１１、出入用ローラ対１２を回転駆動させるようになっている。
【００２４】
次に、上記したように構成される印刷装置の印字動作について説明する。
【００２５】
まず、通帳Ｔに印字する場合について説明する。
【００２６】
通帳Ｔが図４に示すようにフェイシア部２から挿入されて通帳挿入検知センサ２９によって検知されると、第２の駆動モータ２６が動作して出入用ローラ対１２、搬送ローラ対１１が正方向に回転駆動される。この回転により、通帳Ｔが搬送されて図５に示すようにドット印字位置に到達すると、ドットヘッド９ａが動作されて印字が行なわれる。印字が終了すると、第２の駆動モータ２６により出入用ローラ対１２、及び搬送ローラ対１１が逆方向に回転駆動される。この逆回転により、通帳Ｔが逆送りされてフェイシア部２から送り出される。
【００２７】
つぎに、ステイトメント用紙を印字発行する場合について説明する。
【００２８】
サーマル用紙４の先端部側は、図６に示すように第１及び第２のプラテンローラ２０，２１と第１及び第２のサーマルヘッド１７，１８との間に挟持された状態にあり、ステイトメント発行ボタン２７がオンされると、第１の駆動モータ２５が動作してプラテンローラ２０，２１が回転駆動される。この回転により、サーマル用紙４が搬送されるとともに、第１及び第２のプラテンローラ２０，２１の発熱によりサーマル用紙４の表裏面に情報が印字される。この印字後、サーマル用紙４は切断部８を通過してフィードローラ対１４によって挟持搬送され、その先端部が図７に示すようにサーマル用紙検知センサ２８により検知されると、ロータリーカッタ２３が回転してサーマル用紙４が所定寸法に切断されてステイトメント用紙Ｓが形成される。このステイトメント用紙Ｓは、図８に示すように搬送ローラ対１１、及び出入用ローラ対１２の逆回転によって搬送路６ｂに沿って搬送されてフェイシア部２から排出される。
【００２９】
ところで、上記した印刷装置においては、通帳Ｔとステイトメント用紙Ｓとを同時に印字する場合があるが、この実施の形態では、サーマル用紙４の搬送路６ａと通帳Ｔの搬送路６ｂとの合流部位３１をドットヘッド９ａよりもフェイシア部２側に近づけ、切断部８から合流部位３１までの距離Ｋ１をドットヘッド９ａから合流部位３１までの距離Ｋ２よりも短くしている。
【００３０】
従って、ドットヘッド９ａで印字された通帳Ｔが合流部位３１に到達する前にサーマルヘッド１７，１８で印字されたステイトメント用紙Ｓを合流部位３１を通過させてフェイシア部２から排出することができる。
【００３１】
よって、従来のように、ドットヘッド９ａにおける通帳Ｔの印字終了を待つことなく、
ステイトメント用紙Ｓを排出することができ、利用者が、ステイトメント用紙を受け取る待ち時間を少なくして利便性を向上できる利点がある。
【００３２】
なお、本発明は上記した一実施の形態に限られるものではなく、以下に示すようなものであってもよい。
【００３３】
即ち、第１の搬送手段としてのサーマル用搬送手段５の搬送速度を第１の搬送速度とし、第２の搬送手段としての通帳用搬送手段１０の搬送速度を前記第１の搬送速度と異なる第２の搬送速度とし、第１の搬送速度を第２の搬送速度よりも高速化する。
【００３４】
これによれば、ドットヘッド９ａから合流部位３１までの距離Ｋ２を切断部８から合流部位３１までの距離Ｋ１と同じくなるように短くした場合でも、合流部位３１でステイトメント用紙Ｓを通帳Ｔに衝突させることなく排出できる。従って、距離Ｋ２を短くした分だけ、ドットヘッド９ａを合流部位３１側に近づけることができ、小型化が可能になる。
【００３５】
また、第１の搬送速度を第２の搬送速度よりも大きく高速化した場合には、切断部８から合流部位３１までの距離Ｋ１をドットヘッド９ａから合流部位３１までの距離Ｋ２よりも長くした場合でも、合流部位３１でステイトメント用紙Ｓを通帳Ｔに衝突させることなく排出することが可能となる。
【００３６】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００３７】
【図１】本発明の第１の実施の形態である印刷装置を概略的に示す構成図。
【図２】図１のサーマル印字部及びドット印字部を拡大して図。
【図３】図１の印刷装置の駆動制御系を示すブロック図。
【図４】図１の印刷装置による通帳の印字動作を示す図。
【図５】図１の印刷装置による通帳の印字動作を示す図。
【図６】図１の印刷装置によるサーマル用紙の印字動作を示す図。
【図７】図１の印刷装置によるサーマル用紙の印字動作を示す図。
【図８】図８のサーマル用紙が所定寸法に切断されてステートメント用紙として搬送される状態を示す図。
【符号の説明】
【００３８】
Ｔ…通帳、Ｓ…ステイトメント用紙、２…フェイシア部２（排出口部）、４…ロール用紙、５…サーマル用搬送手段（第１の搬送手段）、６ａ…搬送路（第１の搬送路）、６ｂ…搬送路（第２の搬送路）、８…切断部（切断手段）、９ａ…ドットヘッド（シリアルヘッド）、１０…通帳用搬送手段（第２の搬送手段）、１７，１８…サーマルヘッド（ラインヘッド）、３１…合流部位、Ｋ１…切断手段から合流部位までの距離、Ｋ２…シリアルヘッドから合流部位までの距離。
【図１】
2010214736.tif 000003
【図２】
2010214736.tif 000004
【図３】
2010214736.tif 000005
【図４】
2010214736.tif 000006
【図５】
2010214736.tif 000007
【図６】
2010214736.tif 000008
【図７】
2010214736.tif 000009
【図８】
2010214736.tif 000010